(57)【要約】【課題】歯間ブラシ用パッケージ２において、歯間ブラシ１の保護性に優れていながら、容易に製作できるようにするとともに、容易に開封して必要数の歯間ブラシ１を取り出せるようにする。【解決手段】歯間ブラシ用パッケージ２はシェルパック構造であって、ブリスターフロントシート３に陥没部３１と凹状部３４が設けられている。凹状部３４は、多数の歯間ブラシ１がブリスターフロントシート３の幅方向に沿う姿勢にされるとともに長さ方向に隣り合わせに並んだ状態で収容されるような形状とされている。陥没部３１の内底面と張り出し部３２とがセンターシート５の抜け出しを阻むとともに、長さ方向へのスライドを案内する。ブリスターリアシート４は、陥没部３１内において張り出し部３２の内面間に適宜の締め代を持つ状態で嵌め入れられている。【選択図】図４
2018177277.tif 000002
【特許請求の範囲】
【請求項１】
正面視矩形状のブリスターフロントシートの背面側にセンターシートを介してブリスターリアシートが重ね合わせられたシェルパック構造とされ、かつ前記ブリスターフロントシートと前記センターシートとの間に多数の歯間ブラシが収容される歯間ブラシ用パッケージであって、
前記ブリスターフロントシートには、前記センターシートが嵌め入れられる大きさで当該ブリスターフロントシートの正面側に向けて陥没する陥没部が設けられているとともに、この陥没部内にはさらに前記正面側へ向けてさらに凹む凹状部が設けられており、
前記凹状部は、前記多数の歯間ブラシが前記ブリスターフロントシートの幅方向に沿う姿勢にされるとともにそれと直交する長さ方向に隣り合わせに並んだ状態で収容されるような形状とされており、
前記陥没部において少なくとも前記長さ方向に沿う２つの内壁面には、内向きに張り出して前記センターシートの抜け出しを阻むための張り出し部が設けられており、
前記ブリスターリアシートは、前記陥没部内において前記少なくとも２つの張り出し部の内面間に適宜の締め代を持つ状態で嵌め入れられている、ことを特徴とする歯間ブラシ用パッケージ。
【請求項２】
請求項１に記載の歯間ブラシ用パッケージにおいて、
前記ブリスターフロントシートの前記陥没部の外周には、外向きに張り出す外向きフランジが設けられており、
前記ブリスターリアシートには、前記外向きフランジに重ね合わされる外向きフランジが設けられており、
前記ブリスターリアシートの外向きフランジの４つの角部のうちのいずれか１つには、前記ブリスターフロントシートの外向きフランジから離隔するように段違いに屈曲されてなる摘み部が設けられている、ことを特徴とする歯間ブラシ用パッケージ。
【請求項３】
請求項１または２に記載の歯間ブラシ用パッケージにおいて、
前記センターシートにおいて幅方向に沿う２つの辺のうちの一方の辺の角部が、切り欠かれている、ことを特徴とする歯間ブラシ用パッケージ。
【請求項４】
請求項１または２に記載の歯間ブラシ用パッケージにおいて、
前記ブリスターフロントシートにおいて幅方向に沿う２つの辺のうちの一方の辺と、前記ブリスターリアシートにおいて前記ブリスターフロントシートの一方の辺と対応する一方の辺とが連接されており、
前記ブリスターフロントシートおよび前記ブリスターリアシートにおいて幅方向に沿う２つの辺のうちの他方の辺よりも内側の所定位置には、それぞれ当該他方の辺と平行となる切り取り線が設けられている、ことを特徴とする歯間ブラシ用パッケージ。
【発明の詳細な説明】
【技術分野】
【０００１】
本発明は、歯間ブラシ用パッケージに関する。
【背景技術】
【０００２】
従来のこの種のパッケージとして、例えば特許文献１，２が知られている。
【０００３】
特許文献１のブリスターカバーは、正面視で長方形状に形成されており、その長手方向中間領域には物品収容部が正面側へ膨出するように形成されている。
【０００４】
このブリスターカバーの２つの長辺には、１８０度折り曲げられた折曲片によって溝部が設けられており、この溝部には、前記物品収容部の裏側の窪みの開口を開閉するための蓋部材がスライド可能に装着されている。
【０００５】
そして、前記物品収容部に収容された物品を取り出す場合には、前記蓋部材を前記ブリスターカバーの上方または下方に引っ張ることにより溝部内でスライドさせると、前記物品収容部の開口を徐々に大きく開放できるようになっている。
【０００６】
このような特許文献１では、前記物品収容部を前記蓋部材で閉塞するようになっているものの、前記蓋部材が簡単に取り外せるようになっているので、収容対象の保護性が低いと言える。
【０００７】
これに対し、特許文献２のスライドブリスター包装体では、収容対象の保護性が高くなっている。
【０００８】
この包装体は、上記特許文献１と同様に、正面視で長方形状に形成されており、その長手方向中間領域には内容物収納部が正面側へ膨出するように形成されている。そして、前記内容物収納部の裏側の窪みの開口を閉塞するように、前記包装体の裏面にふた用フィルムを貼着するようにしている。さらに、前記包装体の２つの長辺には、１８０度折り曲げられたフランジが設けられており、このフランジにスライド板がスライド可能に引っ掛けられている。
【０００９】
そして、前記内容物収納部に収納された内容物を取り出す場合には、前記スライド板をスライドさせると、このスライド板にテープで接着された前記ふた用フィルムが剥がされることになって、前記内容物収納部が開放されるようになっている。
【先行技術文献】
【特許文献】
【００１０】
【特許文献１】特開２００１−２１２４公報
【特許文献２】実公昭５８−９９００号公報
【発明の概要】
【発明が解決しようとする課題】
【００１１】
上記特許文献２では、前記ふた用フィルムによって前記内容物収納部を完全密封するようになっているが、前記ふた用フィルムをスライド板にテープを介して接着する必要があるので、前記ふた用フィルムを剥がすことが面倒であるとともに、製作時に手間がかかるなど、改良の余地がある。
【００１２】
このような事情に鑑み、本発明は、歯間ブラシ用パッケージにおいて、歯間ブラシの保護性に優れていながら、容易に製作できるようにするとともに、容易に開封して必要数の歯間ブラシを取り出せるようにすることを目的としている。
【課題を解決するための手段】
【００１３】
本発明は、正面視矩形状のブリスターフロントシートの背面側にセンターシートを介してブリスターリアシートが重ね合わせられたシェルパック構造とされ、かつ前記ブリスターフロントシートと前記センターシートとの間に多数の歯間ブラシが収容される歯間ブラシ用パッケージであって、前記ブリスターフロントシートには、前記センターシートが嵌め入れられる大きさで当該ブリスターフロントシートの正面側に向けて陥没する陥没部が設けられているとともに、この陥没部内にはさらに前記正面側へ向けてさらに凹む凹状部が設けられており、前記凹状部は、前記多数の歯間ブラシが前記ブリスターフロントシートの幅方向に沿う姿勢にされるとともにそれと直交する長さ方向に隣り合わせに並んだ状態で収容されるような形状とされており、前記陥没部において少なくとも前記長さ方向に沿う２つの内壁面には、内向きに張り出して前記センターシートの抜け出しを阻むための張り出し部が設けられており、前記ブリスターリアシートは、前記陥没部内において前記少なくとも２つの張り出し部の内面間に適宜の締め代を持つ状態で嵌め入れられている、ことを特徴としている。
【００１４】
この構成では、シェルパック構造であるから、歯間ブラシの保護性に優れている。また、前記ブリスターフロントシートに前記センターシートと前記ブリスターリアシートとをそれぞれ嵌め入れるだけで組み立てるようにしているから、上記特許文献２に比べて容易に製作することが可能になる。
【００１５】
さらに、前記ブリスターリアシートを前記ブリスターフロントシートから引っ張ることにより取り外した後、前記センターシートを前記ブリスターフロントシートから長さ方向一方へ任意量引き出すようにスライドさせるだけでもって、前記ブリスターフロントシートの凹状部内に収容している多数の歯間ブラシのうちの任意数の歯間ブラシを容易に取り出すことが可能になる。
【００１６】
このように、前記ブリスターフロントシートに対して前記ブリスターリアシートと前記センターシートとを個別に動かせるようになっていて、前記センターシートのスライド量を必要に応じて調整することができるから、前記凹状部からの歯間ブラシの取り出し数を任意に変更することができるなど、使い勝手が良好になっている。
【００１７】
ところで、上記歯間ブラシ用パッケージにおいて、前記ブリスターフロントシートの前記陥没部の外周には、外向きに張り出す外向きフランジが設けられており、前記ブリスターリアシートには、前記外向きフランジに重ね合わされる外向きフランジが設けられており、前記ブリスターリアシートの外向きフランジの４つの角部のうちのいずれか１つには、前記ブリスターフロントシートの外向きフランジから離隔するように段違いに屈曲されてなる摘み部が設けられている、構成とすることが好ましい。
【００１８】
この構成では、前記２つの外向きフランジを設けることによって、前記ブリスターリアシートを前記ブリスターフロントシートに強固に取り付けることが可能になる。しかも、前記ブリスターリアシートを前記ブリスターフロントシートから取り外す際に、前記摘み部を掴んで前記ブリスターリアシートを離隔方向に引っ張る操作を行うことができるようになる。しかも、前記摘み部を掴みやすくなる。
【００１９】
また、上記歯間ブラシ用パッケージにおいて、前記センターシートにおいて幅方向に沿う２つの辺のうちの一方の辺の角部が、切り欠かれている、構成とすることが好ましい。
【００２０】
この構成では、前記ブリスターリアシートを取り外した後で前記センターシートを前記張り出し部と前記陥没部との間から長さ方向一方へスライドさせる際に、前記切り欠き部分から指などを差し入れて前記センターシートを掴んで長さ方向一方へ引っ張る操作を行うことができるようになる。しかも、この前記切り欠き部分の存在によって前記センターシートを掴みやすくなる。
【００２１】
さらに、上記歯間ブラシ用パッケージにおいて、前記ブリスターフロントシートにおいて幅方向に沿う２つの辺のうちの一方の辺と、前記ブリスターリアシートにおいて前記ブリスターフロントシートの一方の辺と対応する一方の辺とが連接されており、前記ブリスターフロントシートおよび前記ブリスターリアシートにおいて幅方向に沿う２つの辺のうちの他方の辺よりも内側の所定位置には、それぞれ当該他方の辺と平行となる切り取り線が設けられている、構成とすることが好ましい。
【００２２】
この構成では、前記ブリスターリアシートを前記ブリスターフロントシートから取り外す際に、当該ブリスターリアシートが前記ブリスターフロントシートから完全に分離されることがないので、再度前記ブリスターリアシートを前記ブリスターフロントシートの陥没部に嵌め入れる際に、手際よく作業できるようになる。
【発明の効果】
【００２３】
本発明に係る歯間ブラシ用パッケージによれば、歯間ブラシの保護性に優れていながら、容易に製作できるようにするとともに、容易に開封して必要数の歯間ブラシを取り出すことが可能になる。
【図面の簡単な説明】
【００２４】
【図１】本発明に係る歯間ブラシ用パッケージの一実施形態の正面図である。
【図２】図１の斜視図である。
【図３】図１の歯間ブラシ用パッケージの分解斜視図である。
【図４】図１の（４）−（４）線断面を矢印方向から見た図である。
【図５】図１の歯間ブラシ用パッケージから歯間ブラシを取り出すときの初期段階を説明するための図で、図１の（５）−（５）線断面を矢印方向から見た図である。
【図６】図５の続きを示す図である。
【図７】図６において歯間ブラシの露呈状態を示す斜視図である。
【図８】本発明に係る歯間ブラシ用パッケージの他の実施形態の正面図である。
【図９】図８の斜視図である。
【図１０】図８の歯間ブラシ用パッケージの分解斜視図である。
【図１１】図８の（１１）−（１１）線断面を矢印方向から見た図である。
【図１２】図８の歯間ブラシ用パッケージから歯間ブラシを取り出すときの初期段階を説明するための斜視図である。
【図１３】図１２の続きを示す斜視図である。
【図１４】図１３の続きを示す斜視図である。
【発明を実施するための形態】
【００２５】
以下、本発明を実施するための最良の実施形態について添付図面を参照して詳細に説明する。
【００２６】
図１から図７に、本発明の一実施形態を示している。図中、１は歯間ブラシ、２は歯間ブラシ用パッケージである。
【００２７】
歯間ブラシ１は、例えばポリプロピレン樹脂等からなるハンドル１１の先端にブラシ部１２を設けた構成である。
【００２８】
歯間ブラシ用パッケージ２は、いわゆるブリスターパック構造あるいはシェルパック構造と呼ばれるものであって、ブリスターフロントシート３の裏側にセンターシート５を介してブリスターリアシート４を取り外し可能に重ね合わせて一体化した構成である。
【００２９】
ブリスターフロントシート３およびブリスターリアシート４は、共に、透明な合成樹脂材料で形成されていて、センターシート５は、厚紙などにより形成されており、それらはすべて正面視で長方形状に形成されている。
【００３０】
そして、ブリスターフロントシート３およびブリスターリアシート４はほぼ同じ外形寸法に形成されているが、センターシート５は、ブリスターフロントシート３およびブリスターリアシート４よりも小さい外形寸法に形成されている。
【００３１】
ブリスターフロントシート３は、センターシート５嵌入用の陥没部３１が設けられている。この陥没部３１は、ブリスターフロントシート３の大半の領域（センターシート５に対応するような大きさの領域）を正面側に向けて膨出させることにより、当該膨出部分の裏側の窪みからなるものであって、ブリスターフロントシート３の正面側へ向けて陥没するようになっていると言い換えることができる。
【００３２】
このブリスターフロントシート３において陥没部３１の外周には、一旦内向きに張り出してから１８０度折り返されることにより、内向きに張り出す張り出し部３２と、外向きに張り出す外向きフランジ３３とが設けられている。
【００３３】
なお、張り出し部３２は、陥没部３１の内壁面に内向きに張り出すように設けられている。また、外向きフランジ３３は、陥没部３１の開口縁から外向きに張り出すように設けられている。
【００３４】
また、ブリスターフロントシート３の陥没部３１内における所定領域には、歯間ブラシ１収容用の凹状部３４が設けられている。この凹状部３４は、ブリスターフロントシート３の陥没部３１内における所定領域を正面側に向けて膨出させることにより、当該膨出部分の裏側の窪みからなるものであって、ブリスターフロントシート３の正面側へ向けて凹むようになっていると言い換えることができる。
【００３５】
この凹状部３４は、正面視でほぼ正方形に形成されており、多数の歯間ブラシ１がブリスターフロントシート３の幅方向（短手方向または左右方向）に沿うような姿勢でブリスターフロントシート３の長さ方向（長手方向または上下方向）に隣り合わせに並んだ状態で収納されるような形状になっている。
【００３６】
ブリスターリアシート４は、正面側へ向けて膨出する膨出部４１が設けられており、この膨出部４１の外周には、外向きに張り出す外向きフランジ４２が設けられている。
【００３７】
膨出部４１は、ブリスターフロントシート３の陥没部３１内に嵌め入れられる深さに設定されているとともに、ブリスターフロントシート３の張り出し部３２の内周面に適宜の締め代をもって嵌合させられる大きさに設定されている。
【００３８】
また、外向きフランジ４２は、ブリスターフロントシート３の外向きフランジ３３に重ね合わされる大きさに設定されている。
【００３９】
さらに、外向きフランジ４２の４つの角部のうちのいずれか１つ（正面視で左下角部）には、摘み部４３が設けられている。
【００４０】
この摘み部４３は、ブリスターリアシート４の外向きフランジ４２の前記左下角部がブリスターフロントシート３の外向きフランジ３３から離隔するように段違いに屈曲されることによって形成されている。
【００４１】
センターシート５は、ブリスターフロントシート３の陥没部３１内に嵌め入れられるものであって、ブリスターフロントシート３の陥没部３１の内底面と張り出し部３２とによって抜け出しが阻まれたうえでブリスターフロントシート３の長さ方向にスライド可能に案内されるようになっている。
【００４２】
このセンターシート５の正面および裏面には、図示していないが、包装対象となる歯間ブラシ１の名称や使用方法などが記載される。また、センターシート５の下側の２つの角部（左下角部および右下角部）は、切り欠かれたようになっていて、この切り欠き５１，５１によってセンターシート５の下側短辺の幅方向中間には、下向きに突出するような摘み片５２が設けられるようになっている。
【００４３】
さらに、ブリスターフロントシート３およびブリスターリアシート４の上側で幅方向中央付近には、円形の引っ掛け孔３５，４４がそれぞれ設けられている。
【００４４】
これらの引っ掛け孔３５，４４は、歯間ブラシ用パッケージ２を図示していないが陳列棚のフックに吊り下げて陳列する際に利用される。なお、センターシート５の上短辺は、前記引っ掛け孔３５，４４に届かない位置に配置される。
【００４５】
次に、歯間ブラシ用パッケージ２から歯間ブラシ１を取り出す手順を説明する。
【００４６】
まず、図５に示すように、ブリスターリアシート４をブリスターフロントシート３から取り外す。
【００４７】
このとき、ブリスターリアシート４の摘み部４３を指で掴んでブリスターフロントシート３から離す向き（裏面側）に引っ張る操作を行えばよく、この摘み部４３がブリスターフロントシート３の外向きフランジ３３から離隔しているから、当該摘み部４３を掴みやすくなっている。また、ブリスターリアシート４は、その膨出部４１がブリスターフロントシート３の張り出し部３２に所定の締め代で嵌合しているだけであるから、その取り外し時の引っ張り操作は軽く行える。
【００４８】
この後、図６に示すように、センターシート５の摘み片５２を掴んでブリスターフロントシート３の下端から外向きにスライドさせることにより適量だけ引き出す。
【００４９】
このとき、センターシート５の摘み片５２の両側に切り欠き５１が存在しているので、陥没部３１内において切り欠き５１から摘み片５２の下側に指あるいは棒状部材などを差し入れやすくなっている。そのため、陥没部３１内において張り出し部３２に引っ掛けられている摘み片５２を掴みやすくなる。
【００５０】
しかも、センターシート５を引き出すときには、当該センターシート５の摘み片５２をブリスターフロントシート３から離す向き（裏面側）に引っ張りながら、ブリスターフロントシート３の下端よりも外向きに引っ張れば、簡単に、センターシート５の摘み片５２を、ブリスターフロントシート３の下短辺寄りの張り出し部３２の上へ乗り越えさせるようにスライドさせることができるようになる。
【００５１】
ところで、センターシート５は、その外周縁がブリスターフロントシート３の陥没部３１の内底面と張り出し部３２との対向間に配置されていて、当該対向間がセンターシート５のスライド動作を案内する溝になっているので、当該センターシート５のスライド動作が円滑に行われるようになる。
【００５２】
そして、前記のようにセンターシート５をスライドさせると、図７に示すように、ブリスターフロントシート３の凹状部３４内の下側所定領域が露呈されることになるので、この領域から露呈している歯間ブラシ１を簡単に取り出せるようになる。なお、センターシート５のスライド量は、歯間ブラシ１の取り出し数に応じて任意に調整すればよい。
【００５３】
このようにして歯間ブラシ１を取り出した後で、凹状部３４を閉塞するには、センターシート５をブリスターフロントシート３の陥没部３１内に嵌め入れるようにスライドさせることにより、凹状部３４の開口を塞ぐようにする。
【００５４】
続いて、ブリスターリアシート４の膨出部４１をブリスターフロントシート３の陥没部３１内に嵌め入れながら張り出し部３２の内周面に嵌合させればよい。これにより、センターシート５がブリスターフロントシート３から離脱することが阻まれるので、歯間ブラシ１が凹状部３４から飛び出してしまうことを防止できるなど、歯間ブラシ１の保護性が高められる。
【００５５】
但し、ブリスターリアシート４をブリスターフロントシート３に取り付けなくても、センターシート５がブリスターフロントシート３の全周の張り出し部３２に引っ掛けられているから、センターシート５がブリスターフロントシート３から簡単に離脱して凹状部３４が開放されることはなくなる。そのため、歯間ブラシ用パッケージ２を開封した後は、ブリスターリアシート４は必ずしもブリスターフロントシート３に取り付けなくてもかまわない。
【００５６】
以上説明したように、本発明を適用した実施形態の歯間ブラシ用パッケージ２は、シェルパック構造であるから、歯間ブラシ１の保護性に優れている。
【００５７】
また、この実施形態の歯間ブラシ用パッケージ２は、ブリスターフロントシート３にセンターシート５とブリスターリアシート４とをそれぞれ嵌め入れるだけで組み立てるようにしているから、上記特許文献２に比べて容易に製作することが可能になる。
【００５８】
さらに、ブリスターリアシート４をブリスターフロントシート３から引っ張ることにより取り外した後、センターシート５をブリスターフロントシート３から長さ方向一方へ任意量引き出すようにスライドさせるだけでもって、ブリスターフロントシート３の凹状部３４内に収容している多数の歯間ブラシ１のうちの任意数の歯間ブラシ１を容易に取り出すことが可能になる。
【００５９】
このように、ブリスターフロントシート３に対してブリスターリアシート４とセンターシート５とを個別に動かせるようになっていて、センターシート５のスライド量を必要に応じて調整することができるから、凹状部３４からの歯間ブラシ１の取り出し数を任意に変更することができるなど、使い勝手が良好になっている。
【００６０】
なお、本発明は、上記実施形態のみに限定されるものではなく、特許請求の範囲内および当該範囲と均等の範囲内で適宜に変更することが可能である。
【００６１】
（１）上記実施形態では、センターシート５の左下角部および右下角部の２ヶ所に切り欠き５１を設けた例を挙げているが、本発明はこれのみに限定されるものではない。
【００６２】
前記切り欠き５１は、図示していないが、例えばセンターシート５の左下角部または右下角部のみに設けるようにしてもよい。
【００６３】
（２）図８から図１４に、本発明の他の実施形態を示している。この実施形態の歯間ブラシ用パッケージ２は、ブリスターフロントシート３の下側の短辺がブリスターリアシート４の下側の短辺に連接されているとともに、ブリスターフロントシート３およびブリスターリアシート４の各上側短辺寄りに幅方向（短手方向）に沿う切り取り線３６，４５が設けられている。
【００６４】
なお、切り取り線３６，４５は、ブリスターフロントシート３の上側寄りの張り出し部３２よりも長手方向中央へ向けて離れた位置に設けられている。このようにしている理由は、下記するように切り取り線３６，４５を切り裂いた後で、センターシート５を長さ方向一方（上向き）にスライドさせる際に、上記実施形態で説明した場合と異なり、センターシート５のスライド初期段階においてセンターシート５をブリスターフロントシート３から離す向き（裏面側）に引っ張らなくてもいいようにしているのである。これにより、センターシート５をスライドさせる操作が上記実施形態に比べると簡単になる。
【００６５】
このような歯間ブラシ用パッケージ２の開封手順としては、図１２に示すように、ブリスターフロントシート３およびブリスターリアシート４の上端を掴んで左右一方に傾けるように引っ張ると、切り取り線３６，４５が切り裂かれることになって、ブリスターフロントシート３およびブリスターリアシート４において切り取り線３６，４５よりも上側の領域が下側の領域から切り離されることになる。
【００６６】
これにより、センターシート５の上側の領域がブリスターフロントシート３およびブリスターリアシート４の前記切り取り跡よりも上側に飛び出した状態になる。
【００６７】
このようにしている理由は、センターシート５を上向きにスライドさせる際に前記飛び出した部分を摘み片として掴めるようにするためである。
【００６８】
このようにしているので、この実施形態でのセンターシート５には、上記実施形態で示した切り欠き５１および摘み片５２を設けていない。なお、センターシート５の下端の幅方向中間には、歯間ブラシ１を取り出す際に、凹状部３４内の歯間ブラシ１に指で触りやすくして取り出しやすくするために、内向きに切り欠かれたぬすみ部５３が設けられている。
【００６９】
そして、前記のようにして切り取り線３６，４５よりも上側の領域を切り離すと、ブリスターリアシート４をブリスターフロントシート３から取り外すことが可能になる。
【００７０】
ここで、ブリスターリアシート４を取り外す際には、図１３に示すように、ブリスターリアシート４を、その下側短辺を支点として１８０度回転させることにより引き起こすようにすればよい。
【００７１】
この取り外したブリスターリアシート４は、ブリスターフロントシート３から完全分離されないようになっているので、ブリスターリアシート４を再度ブリスターフロントシート３の陥没部３１内に嵌め入れるときに、当該ブリスターリアシート４を完全分離する場合に比べて探す手間が省けて速やかに手で掴めるようになるなど、使い勝手が良くなる。
【００７２】
この後、図１４に示すように、センターシート５において前記上側に飛び出している部分を掴んで外向きに引っ張ってスライドさせれば、ブリスターフロントシート３の凹状部３４を部分的に露呈することができる。
【００７３】
これにより、当該凹状部３４内から露呈している歯間ブラシ１を取り出すことが可能になる。当然ながら、前記スライド量を調整することにより、歯間ブラシ１の取り出し数を変更することができる。
【００７４】
以上説明したように、この実施形態の場合にも、上記実施形態と遜色のない作用、効果が得られる。
【００７５】
（３）上記２つの実施形態では、ブリスターフロントシート３の全周に張り出し部３２を設けた例を挙げているが、本発明はこれのみに限定されるものではない。
【００７６】
張り出し部３２は、図示していないが、例えばブリスターフロントシート３の長さ方向に沿う２つの辺のみ、あるいはブリスターフロントシート３の幅方向に沿う２つの辺のみに設けるようにしてもよい。
【産業上の利用可能性】
【００７７】
本発明は、シェルパック構造の歯間ブラシ用パッケージに好適に利用することが可能である。
【符号の説明】
【００７８】
１  歯間ブラシ
２  歯間ブラシ用パッケージ
３  ブリスターフロントシート
３１  陥没部
３２  張り出し部
３３  外向きフランジ
３４  凹状部
４  ブリスターリアシート
４１  膨出部
４２  外向きフランジ
４３  摘み部
５  センターシート
５１  切り欠き
５２  摘み片
【図１】
2018177277.tif 000003
【図２】
2018177277.tif 000004
【図３】
2018177277.tif 000005
【図４】
2018177277.tif 000006
【図５】
2018177277.tif 000007
【図６】
2018177277.tif 000008
【図７】
2018177277.tif 000009
【図８】
2018177277.tif 000010
【図９】
2018177277.tif 000011
【図１０】
2018177277.tif 000012
【図１１】
2018177277.tif 000013
【図１２】
2018177277.tif 000014
【図１３】
2018177277.tif 000015
【図１４】
2018177277.tif 000016